(57)【要約】【課題】撮影可能な画像数を増加させたデジタルカメラを提供する。【解決手段】ＣＣＤを遮光するメカニカルシャッタとその他の機能が使用不可能となる電圧値であり、デジタルカメラのシステムがダウンするエンド電圧値と、エンド電圧値よりも高い電圧値であり、メカニカルシャッタが使用可能で、その他の機能を駆動することが可能な最低電圧値であるプリエンド電圧値とを設定し、デジタルカメラのバッテリの電圧を検出し、この電圧値が、エンド電圧値よりも高く、且つプリエンド電圧値より小さい場合には、撮像時にメカニカルシャッタを駆動せずに、電子シャッタを制御して画像取り込みを行う。この時、所定のシャッタ速度よりも高速のシャッタ速度で撮影を行う場合には、ＬＣＤパネルにスミアの発生を警告するメッセージを表示する。【選択図】        図４
2005039417.tif 000002
【特許請求の範囲】
【請求項１】
撮像素子の駆動を制御することにより露光時間を制御する電子シャッタと、画像取り込み時に前記撮像素子を機械的に遮光するメカニカルシャッタとを用いて撮影を行うデジタルカメラにおいて、
前記デジタルカメラの電源電圧を検出する電圧検出手段と、
前記メカニカルシャッタとその他の機能が使用不可能となる電圧値であり、前記デジタルカメラのシステムがダウンするエンド電圧値、及び前記エンド電圧値よりも高く、前記メカニカルシャッタが使用可能で、その他の機能を駆動することが可能な最低電圧値であるプリエンド電圧値が設定され、前記電圧検出手段により検出された電圧値が、前記エンド電圧値よりも高く、且つ前記プリエンド電圧値より小さい場合には、撮影時に前記メカニカルシャッタを駆動せずに、前記電子シャッタを制御して撮影を実行させる制御手段とを備えたことを特徴とするデジタルカメラ。
【請求項２】
前記制御手段は、被写体輝度に基づいて前記電子シャッタのシャッタ速度を決定し、このシャッタ速度が所定のシャッタ速度よりも高速であり、前記電圧値が前記エンド電圧値よりも高く、且つ前記プリエンド電圧値より小さい場合には、警告メッセージを表示手段に表示することを特徴とする請求項１記載のデジタルカメラ。
【請求項３】
撮像素子の駆動を制御することにより露光時間を制御する電子シャッタと、前記撮像素子を機械的に遮光するメカニカルシャッタとを用いて撮影を行うデジタルカメラにおいて、
被写体輝度に基づいて前記電子シャッタのシャッタ速度を決定し、このシャッタ速度が所定のシャッタ速度より低速である場合、メカニカルシャッタを駆動させず、前記電子シャッタを制御して撮影を実行させ、前記所定のシャッタ速度より高速である場合、メカニカルシャッタと電子シャッタとを制御して撮影を実行させる制御手段を備えたことを特徴とするデジタルカメラ。
【発明の詳細な説明】
【０００１】
【発明の属する技術分野】
本発明は、電子シャッタとメカニカルシャッタとを併用して撮影を行うデジタルカメラに関する。
【０００２】
【従来の技術】
従来、デジタルカメラに用いられているＣＣＤなどの固体撮像素子に特有の問題としてスミアがある。このスミアは、複数の撮像素子からなる受光部に不要な光が混入したり、内部で発生したノイズが、隣接した撮像素子（画素）や、受光部から蓄積電荷を読み出すための電荷転送部に混入することにより発生する画像ノイズであり、強い光が入射した時などに、撮影画像に白い縦稿となって顕著に現れるものである。このようなＣＣＤを用いたデジタルカメラでは、スミアを防止するため、一般にメカニカルシャッタが用いられている。
【０００３】
このような、メカニカルシャッタの閉動作制御電圧は、出来るだけ高い方がばらつきが少なくなり精度も良くなる。しかし、高電圧で制御を行うと電流のピークが発生するため、乾電池などを使用したシステムでは、電圧降下が起こり、ＣＰＵが暴走したり信号処理が正常にできなくなるという問題がある。このため、この電圧降下を考慮して、バッテリのエンド（システムがダウンする電圧）を決めている。しかし、この電圧を高く設定すると、バッテリを使用できる時間が短くなり、撮影可能な画像数が少なくなるという問題があった。
【０００４】
このようなバッテリ寿命に伴うデジタルカメラの撮影画像数の減少を緩和する方法として、バッテリが所定の電圧に低下した時に、撮影に支障の少ない機能に優先順位をつけて順次停止させ、バッテリの電圧が低下しても撮影に支障の少ない機能を省いて撮影可能にして、撮影画像の枚数を増加させる技術が知られている（例えば、特許文献１）。
【０００５】
【従来技術】
特開平１０−１２３５９５号公報
【０００６】
【発明が解決しようとする課題】
しかしながら、前述の特許文献１記載されているデジタルカメラでは、メカニカルシャッタを停止させると撮影が出来なくなるため、メカニカルシャッタの機能を停止させることは考慮されていない。このため、撮影時には常にバッテリの消費電力が大きいメカニカルシャッタを駆動するので、バッテリの使用時間を延長させる効果は薄く、撮影画像数の大幅な増加も期待できないという問題があった。
【０００７】
本発明は上記の事情を考慮してなされたもので、メカニカルシャッタによるバッテリの消費電力を抑制して撮影可能な画像数を増加させたデジタルカメラを提供することを目的とする。
【０００８】
【課題を解決するための手段】
上記目的を達成するため、本発明のデジタルカメラは、撮像素子の駆動を制御することにより露光時間を制御する電子シャッタと、画像取り込み時に前記撮像素子を機械的に遮光するメカニカルシャッタとを用いて撮影を行うデジタルカメラであり、デジタルカメラの電源電圧を検出する電圧検出手段と、メカニカルシャッタとその他の機能が使用不可能となる電圧値であり、デジタルカメラのシステムがダウンするエンド電圧値、及びこのエンド電圧値よりも高く、メカニカルシャッタが使用可能で、その他の機能を駆動することが可能な最低電圧値であるプリエンド電圧値が設定され、電圧検出手段により検出された電圧値が、エンド電圧値よりも高く、且つプリエンド電圧値より小さい場合には、撮影時にメカニカルシャッタを駆動せずに、電子シャッタを制御して撮影を実行させる制御手段とを備えたことを特徴とするものである。
【０００９】
また、前述の制御手段は、被写体輝度に基づいて前記電子シャッタのシャッタ速度を決定し、このシャッタ速度が所定のシャッタ速度よりも高速であり、前述の電圧値がエンド電圧値よりも高く、且つプリエンド電圧値より小さい場合には、警告メッセージを表示手段に表示することを特徴とするものである。なお、所定のシャッタ速度とは、この速度より高速のシャッタ速度で撮影した場合には、撮影画像にスミア成分が発生せず、この速度より低速のシャッタ速度で撮影した場合には、スミア成分が発生しないことを判定する閾値である。また、前述の警告メッセージは、スミア成分の発生を警告するメッセージである。
【００１０】
上記目的を達成するため、本発明のデジタルカメラは、撮像素子の駆動を制御することにより露光時間を制御する電子シャッタと、前記撮像素子を機械的に遮光するメカニカルシャッタとを用いて撮影を行うデジタルカメラであり、被写体輝度に基づいて電子シャッタのシャッタ速度を決定し、このシャッタ速度が所定のシャッタ速度より低速である場合、メカニカルシャッタを駆動させず、電子シャッタを制御して撮影を実行させ、所定のシャッタ速度より高速である場合、メカニカルシャッタと電子シャッタとを制御して撮影を実行させる制御手段を備えたことを特徴とするものである。
【００１１】
【発明の実施の形態】
図１は、本発明のデジタルカメラの外観斜視図である。図１（Ａ）はデジタルカメラ１０の正面側、図１（Ｂ）は背面側の構成を示している。デジタルカメラ１０の正面には、図中矢印方向にスライド操作自在なレンズバリア１１が設けられている。このレンズバリア１１を図１（Ａ）に示す開放位置にスライドさせることにより、撮影レンズ１２、ストロボ発光部１３が前面に露呈して撮影可能な状態となる。
【００１２】
撮影レンズ１２の背後には、後述するように、撮像素子であるＣＣＤが配置されている。このＣＣＤは、撮影レンズ１２を介して被写体画像を受光して撮像信号を取得する。この撮像信号は、Ａ／Ｄ変換器によりデジタル信号の画像データに変換され、デジタルカメラ１０の背面に設けられたＬＣＤ表示パネル１４で、いわゆるスルー画像として表示される。また、デジタルカメラ１０には、光学ファインダを構成するファインダ対物窓１５及びファインダ接眼窓１６が前面と背面に設けられており、これらを介して被写体画像のフレーミングが行われる。
【００１３】
デジタルカメラ１０の上面には、レリーズボタン１７が設けられている。このレリーズボタン１７は、２段階押しのスイッチとなっている。撮影者が、ＬＣＤ表示パネル１４または光学ファインダを用いてフレーミングを行った後に、レリーズボタン１７を軽く押圧（半押し）すると、露光調整、撮影レンズ１２の焦点調整などの各種撮影準備処理が施される。撮影準備処理が施された撮影信号は、レリーズボタン１７を離すまでデータロックされる。そして、この状態でレリーズボタン１７をもう１度強く押圧（全押し）すると、撮影準備が施された１画面分の撮像信号が画像データに変換された後、メモリカードスロット１８に着脱自在に装填されるメモリカード１９に記憶される。
【００１４】
デジタルカメラ１０の背面には、ＬＣＤ表示パネル１４のほかに、撮影者により操作され、複数のボタンやスイッチで構成される操作部２０が設けられている。この操作部２０は、電源のオン／オフ切替えを行う電源ボタン２１と、撮影レンズ１２のズームレンズをワイド側、テレ側に変倍するズーム操作ボタン２２と、各種モードを選択するモード切替スイッチ２３と、ＬＣＤ表示パネル１４に表示されるメニュー画面内でカーソルを移動させるカーソル操作ボタン２４とで構成されている。
【００１５】
デジタルカメラ１０では、通常の撮影を行う通常撮影モード、撮影した画像をＬＣＤ１４に表示する再生モード、及び各種設定を行うセットアップモードが選択可能となっており、モード切替スイッチ２３をスライド操作させることで、これらのモードの切り替えが行われる。
【００１６】
デジタルカメラ１０の電気的構成を図２に示す。撮影レンズ１２は、ズームレンズ３０と、絞り３１と、フォーカスレンズ３２と、メカニカルシャッタ３３とで構成されている。これらは、ズーミングを行うズームモータ３４と、絞り調整を行う絞り用モータ３５と、焦点調整を行うフォーカス用モータ３６と、メカニカルシャッタを駆動するシャッタ用モータ３７とにより各々が駆動される。
【００１７】
これらのモータ３４〜３７は、モータドライバ３８〜４１を介して、デジタルカメラ全体の制御を行うＣＰＵ４２に接続されており、ＣＰＵ４２がモータドライバ３８〜４１を介してモータ３４〜３７の各々を駆動制御するまた、撮影レンズ１２の背後には、ＣＣＤ４３が配置されている。撮影レンズ１２を透過した被写体光が、ＣＣＤ４３の受光面に入射して画像データとして取得される。ＣＣＤ４３は、タイミングジェネレータ４４を介して、ＣＰＵ４２に接続されている。このＣＰＵ４２が、タイミングジェネレータ４４を制御してタイミング信号（クロックパルス）を発生させてＣＣＤ４３を駆動させる。なお、ＣＣＤ４３は、１回の画像の取り込みで、画像の撮像を行う。
【００１８】
このＣＣＤ４３から出力された画像データは、相関二重サンプリング回路（ＣＤＳ）４５に入力され、ＣＣＤの各セルの蓄積電荷量に正確に対応したＲ，Ｇ，Ｂの画像データとして出力される。ＣＤＳ４５から出力された画像データは、増幅器（ＡＭＰ）４６で増幅されて、Ａ／Ｄ変換器４７でデジタルデータに変換される。デジタル化された画像データは、画像信号処理回路４８に送信される。画像信号処理部４８は、データバス４９を介して、ビデオメモリ５０及びバッファメモリ５１に接続されており、それぞれに画像データを書き込む。
【００１９】
ビデオメモリ５０は、ＬＣＤ１４を電子ビューファインダとして使用する際に、解像度の低い画像データが一時的に記録される。ビデオメモリに記録された画像データは、データバス４９を介してＬＣＤドライバ５２に送信され、ＬＣＤ１４に表示される。
【００２０】
バッファメモリ５１は、撮像された高解像度の画像データが一時的に記録される。この時、画像信号処理回路４８は、撮像された画像データがバッファメモリ５１に記憶されている間に、ハイパートーン処理、ハイパーシャープネス処理等の画像処理を施す。このバッファメモリ５１から読み出された画像データは、データバス４９を介して接続されている圧縮処理回路５３により、ＪＰＥＧ等の圧縮方式により圧縮される。圧縮された画像データは、ＣＰＵ４２がメディアコントローラ５４を制御して、記憶媒体であるメモリカード１９に記憶される。
【００２１】
また、画像信号処理回路４８は、データバス４９を介して、ＣＰＵ４２、ＡＦ検出回路５５、ＡＥ検出回路５６に接続されている。ＡＦ検出回路５６は、検出範囲に対応する画像データを画像信号処理回路４８から抽出する。ＡＦ検出回路５５は、抽出された画像データの高周波成分を１フィールド期間積分することにより、振幅値を算出する。ＣＰＵ４２は、モータドライバ４０を介して、モータ３６を制御することにより、フォーカスレンズ３２を光軸方向に進退移動させる。この時、ＡＦ検出回路５５は、順次振幅値の計算を実行し、最大振幅を検出する。ＣＰＵ４２は、この検出値をＡＦ検出回路５５から取得し、この検出値に対応する位置（合焦位置）にフォーカスレンズ３２を移動させることにより焦点調整が行われる。
【００２２】
ＡＥ検出回路５６は、検出範囲に対応する画像データを画像信号処理回路４８から抽出して、この抽出された画像データの輝度信号を積分することによって測光を行う。この測光データは、ＡＥ検出回路５６からＣＰＵ４２に送信される。
【００２３】
ＣＰＵ４２は、この測光データに基づいて、モータドライバ３９を介してモータ３５を制御して絞り３１を駆動し、さらに、測光データに基づいて電子シャッタの速度を制御することにより、撮影条件が最適となるように露光調整を行う。電子シャッタの速度の制御は、ＣＰＵ４２がタイミングジェネレータ４４を制御してＣＣＤ４３の駆動を制御して露光時間を調節することにより行われる。また、ＣＰＵ４２は、電子シャッタのシャッタ速度が所定のシャッタ速度より高速に設定されているか、低速に設定されているかを判定して、この結果に基づいてメカシャッタ３３の駆動を制御する。この所定のシャッタ速度とは、撮影画像にスミア成分が発生し易いか否かを判定するための閾値である。
【００２４】
このような露光調整及び焦点調整の撮影準備処理は、レリーズボタン１７の１回目の押圧操作（半押し）された時に行われる。撮影条件が最適となるように撮影レンズ１１の露光調整、焦点調整を行う。
【００２５】
ＣＰＵ４２には、Ａ／Ｄ変換器６０を介して電圧検出回路６１が接続されている。この電圧検出回路６１は、バッテリ６２に接続されており、バッテリ６２の電圧を検出する。電圧検出回路６１により検出された電圧値は、Ａ／Ｄ変換器６０にてデジタル信号に変換されてＣＰＵ４２に送信される。
【００２６】
ＣＰＵ４２は、デジタル信号に変換された電圧値を取得する。ＣＰＵ４２には、メカシャッタ３３とその他の機能が使用不可能であり、デジタルカメラ１０のシステムの機能がダウンするエンド電圧値と、このエンド電圧値よりも高く、メカシャッタ３３が使用可能でその他の機能が使用可能な最低電圧値であるプリエンド電圧値とが設定されている。ＣＰＵ４２は、取得した電圧値と、プリエンド電圧値及びエンド電圧値とを比較する。
【００２７】
ＣＰＵ４２は、取得した電圧値がエンド電圧値以下の場合には、デジタルカメラ１０での撮影を禁止して、ＬＣＤパネル１４に「電池切れ」のメッセージを表示させる。
【００２８】
また、ＣＰＵ４２は、取得した電圧値がエンド電圧値よりも大きい場合には、取得した電圧値がプリエンド電圧値以上か否かの判定を行う。プリエンド電圧値より小さいと判定された場合は、メカシャッタ３３を駆動しないと判断する。また、プリエンド電圧値以上であると判定された場合はメカシャッタ３３を駆動すると判断する。
【００２９】
ＣＰＵ４２は、メカシャッタ３３を駆動する場合と駆動しない場合のそれぞれに対応する信号をＥＶＲ回路６３に送信される。ＥＶＲ回路６３は、この回路内に設けられたＤ／Ａ変換器により、取得した信号をデジタル信号からアナログ信号に変換する。ＥＶＲ回路６３は電子ボリューム回路であり、所定の電圧範囲内で電圧値を変化させて出力する。ＥＶＲ回路６３は、メカシャッタ３３を駆動しない信号の場合は０Ｖの電力信号をモータドライバ４１に出力し、メカシャッタ３３を駆動する場合には、メカシャッタ３３の駆動電圧、例えば、３Ｖの電力信号をモータドライバ４１に出力する。
【００３０】
モータドライバ４１は、タイミングジェネレータ４４からのクロックパルスと、ＥＶＲ回路６３からの電力信号とに基づいてモータ３７を制御することにより、メカシャッタ３３を駆動する。
【００３１】
図３は、撮影シーケンスを示す説明図である。タイミングジェネレータ４４は、ＣＣＤ４３を駆動させる垂直同期信号を発生させる。また、このタイミングジェネレータ４４は、シャッタボタン１７が全押しされて、一定の露光時間が経過した後に、メカシャッタ３３を閉動作させるためのクロックパルスを発生させる。モータドライバ４１は、このクロックパルスに同期させて電力信号を発生させる。この時、図３（Ａ）に示すように、電力信号がメカシャッタ３３を駆動させる電圧値である場合はメカシャッタ３３は、閉動作される。その後、ＣＣＤ４３からの画像データの読み出しが終了した時点で、タイミングジェネレータ４４がメカシャッタを開動作させるためのクロックパルスを発生させる。モータドライバ４１は、このクロックパルスに同期信号に同期させて再び電力信号を発生させることにより、メカシャッタ３３を開動作させる。このように、ＣＣＤ４３から画像データの読み出しが行われている時に、メカシャッタが閉じて遮光されているため、画像データ読み出し中に外光が入射しないため、スミアの発生が防止される。
【００３２】
また、図３（Ｂ）に示すように、電力信号が０Ｖの場合は、メカシャッタは、動作せずに、常に開いた状態である。このため、ＣＣＤ４３から画像データが読み出されている時も、メカシャッタ３３は開放状態であるため、電子シャッタを制御して高速のシャッタ速度で撮影する場合は、撮像画像にスミアが発生する可能性がある。しかし、低速のシャッタ速度の場合は、スメアが発生可能性は低い。
【００３３】
また、図２に示すように、ＣＰＵ４２には、操作部２０が接続されており、撮影者によりシャッタボタン３１が半押しされた時に、前述のように、合焦位置の検出と、露光制御が行われる。また、ＣＰＵ４２には、モータドライバ３８を介して、ズーム用のモータ３４が接続されており、ＣＰＵ４２が、ズーム操作部２２によって撮影者からのズームの指令を取得した場合に、モータドライバ３８を制御してズーム用のモータ３４を駆動させることにより、ズームレンズ３０をワイド端とテレ端との間で移動させる。
【００３４】
また、ＣＰＵ４２には、ＣＰＵ４２の動作に必要な制御プログラムが記憶されたＲＯＭ６５が接続されており、この制御プログラムに基づいて動作する。
【００３５】
次に、上記構成のデジタルカメラの撮影時の作用について説明を行う。ＣＰＵ４２は、電源（バッテリ）の電圧が、エンド電圧値以下か否かを判定する。電源電圧がエンド電圧値以下であると判定された場合には、撮影が不可能であり、ＬＣＤ表示パネル１４に電池交換のメッセージを表示して警告を行う。また、電源電圧がエンド電圧よりも高いと判定された場合には、その後の撮影処理を実行する。
【００３６】
撮影者は、光学ファインダ、またはＬＣＤパネル１４に表示されたスルー画により被写体のフレーミングを行う。このフレーミングが終了後、撮影者によりシャッタボタン１７の半押し操作が行われる。シャッタボタン１７の半押し操作が行われない場合には、そのまま待機状態を維持する。シャッタボタン１７の半押し操作が行われた場合には、ＣＰＵ４２は、ＡＦ制御回路５５及びＡＥ制御回路５６を制御してＡＥ制御とＡＦ制御とを行う。また、ＣＰＵ４２は、バッテリ６２の電圧値をＡ／Ｄ変換器６０を介して電圧検出回路６１から取得し、この電圧値がプリエンド電圧値より小さいか否かの判定を行う。
【００３７】
バッテリ６２の電圧値が、プリエンド電圧値より小さいと判定された場合には、電子シャッタが、所定のシャッタ速度よりも高速で制御されるか否かを判定する。所定のシャッタ速度よりも高速である高速シャッタで撮影を行うと判定された場合には、ＬＣＤパネル１４にスミア警告のメッセージを表示する。その後、シャッタボタン１７が操作されるまで待機状態となる。所定のシャッタ速度よりも低速である低速シャッタで撮影を行うと判定された場合には、警告表示を行わずにシャッタボタン１７が操作されるまで待機状態となる。
【００３８】
また、バッテリ６２の電圧値が、プリエンド電圧値以上であると判定された場合には、そのまま次の処理に進む。その後、シャッタボタン１７が、離された場合には最初の処理に戻り、再びシャッタボタン１７が半押しされるまで待機状態となる。また、シャッタボタン１７が半押しの状態のままであれば、シャッタボタン１７が全押しされるまで、待機状態となる。
【００３９】
その後、シャッタボタン１７が全押しされた場合、バッテリ６２の電圧値がプリエンド電圧値より小さい場合には、メカシャッタ３３の開閉動作を行わずに撮影を実行し、撮影処理を終了する。また、プリエンド電圧値以上の場合には、メカシャッタ３３の開閉動作を行って撮影を実行して撮影処理を終了する。
【００４０】
上記実施形態においては、バッテリ６２の電圧値がプリエンド電圧値より小さい場合に、メカシャッタの開閉動作を行わずに撮影を実行することにより、電圧値が低下しても撮影を可能にしているので、従来のデジタルカメラよりも撮影枚数を増やすことができる。また、プリエンド電圧値の他に、その他の機能を停止する所定の電圧値を設定して、バッテリ６２の電圧の低下に応じて、撮影の機能として重要度の低いものから順に動作が停止するようにしても良い。
【００４１】
また、低速シャッタ時は、スミアの影響を受けにくいという特性を利用して、高速シャッタ時にはメカシャッタ３３を併用して撮影を行い、低速シャッタ時には、メカシャッタ３３を使用しないで撮影するようにしても良い。
【００４２】
この場合は、ＣＰＵ４２が、ＡＥ検出回路５６から検出値を取得する。ＣＰＵ４２は、この検出値に基づいて、電子シャッタのシャッタ速度を決定する。ＣＰＵ４２は、このシャッタ速度が所定のシャッタ速度よりも高速であるか低速であるかを判定する。電子シャッタを高速で制御すると判定された場合、ＣＰＵ４２は、ＥＶＲ回路６３にメカシャッタ３３を開閉駆動する信号を送信し、電子シャッタを低速で制御すると判定された場合、ＥＶＲ回路６３にメカシャッタ３３を開閉駆動しない信号を送信するようにすれば良い。
【００４３】
このように、低速のシャッタ速度で撮影を行う時と、高速のシャッタ速度で撮影を行う時とで、メカシャッタ３３を選択的に開閉動作させる場合のデジタルカメラ１０の作用を図５のフローチャートを用いて説明する。
【００４４】
ＣＰＵ４２は、バッテリ６２の電圧がエンド電圧値以下か否かを判定する。エンド電圧値以下であると判定された場合には、撮影が不可能であり、ＬＣＤパネル１４に電池交換のメッセージを表示して警告を行う。また、バッテリ６２がエンド電圧よりも高いと判定された場合には、その後の撮影処理を実行する。
【００４５】
撮影者は、光学ファインダ、またはＬＣＤパネル１４に表示されたスルー画により被写体のフレーミングを行う。このフレーミングが終了後、撮影者によりシャッタボタン１７の半押し操作が行われる。シャッタボタン１７の半押し操作が行われない場合には、そのまま待機状態を維持する。シャッタボタン１７の半押し操作が行われた場合には、ＣＰＵ４２は、ＡＦ制御回路５５及びＡＥ制御回路５６を制御してＡＥ制御とＡＦ制御とを行う。この時、ＣＰＵ４２は、ＡＥ制御回路５６から検出値を取得して、電子シャッタの制御速度を決定する。
【００４６】
その後、シャッタボタン１７が離されたら最初の処理に戻り、再びシャッタボタン１７が半押しされるまで待機状態となる。シャッタボタン１７が半押しの状態のままであれば、シャッタボタン１７が全押しされるまで待機状態となる。
【００４７】
シャッタボタン１７が全押しされない時は、そのまま待機状態を維持し、全押しされた時に、ＣＰＵ４２は電子シャッタが、所定のシャッタ速度よりも高速のシャッタ速度に設定されている否かを判定する。高速のシャッタ速度に設定されている場合、ＣＰＵ４２は、ＥＶＲ回路６３にメカシャッタ３３を駆動する信号を送信し、メカシャッタ３３を用いて撮影を行い、撮影処理を終了する。
【００４８】
また、低速のシャッタ速度に設定されている場合には、メカシャッタ３３を使用せずに撮影を行って撮影の処理を終了する。
【００４９】
このように、低速のシャッタ速度の場合には、スミアの影響を受けにくいのでメカシャッタ３３を使用せずに撮影を行うようにすれば、平均的に、メカシャッタ３３を開け閉めする回数が少なくなりバッテリの消費を低減することができ、撮影枚数を増やすことが出来る。
【００５０】
【発明の効果】
上述のように、本発明のデジタルカメラによれば、バッテリの電圧がメカシャッタを使用出来ない電圧に低下した場合でも、メカシャッタのみを使用不可として、撮影を行うことができるようにしたので撮影枚数を増やすことができる。
【００５１】
また、電子シャッタを高速シャッタで使用する場合にのみ、メカシャッタを使用するようにしたので、平均的にメカシャッタの使用頻度を低減することが可能であり、バッテリの寿命が長くなり結果的に撮影枚数を増加させることができる。
【図面の簡単な説明】
【図１】デジタルカメラの外観斜視図である。
【図２】デジタルカメラの電気的構成を示すブロック図である。
【図３】撮影シーケンスを示す説明図である。
【図４】デジタルカメラの撮影処理を説明するフローチャートである。
【図５】デジタルカメラの撮影処理を説明するフローチャートである。
【符号の説明】
１０  デジタルカメラ
１２  撮影レンズ
１７  シャッタボタン
３０  ズームレンズ
３１  絞り
３２  フォーカスレンズ
３３  メカニカルシャッタ
３４〜３７  モータ
３８〜４１  モータドライバ
４２  ＣＰＵ
４３  ＣＣＤ
４４  タイミングジェネレータ
５６  ＡＥ制御回路
６１  電圧検出回路
６２  バッテリ
６３  ＥＶＲ回路
【図１】
2005039417.tif 000003
【図２】
2005039417.tif 000004
【図３】
2005039417.tif 000005
【図４】
2005039417.tif 000006
【図５】
2005039417.tif 000007